(57)【要約】【課題】  本案は、エジェクターを使用した、オストメイトの排泄物排出装置。【解決手段】  上水を、エジェクターの動力源としてエジェクターの供給口に供給し、エジェクターの吸気口を負圧にする、人工肛門や人工膀胱やこれらに取り付けられたパウチを吸気口に接続し、排泄物を排出する排出開閉器、人工肛門や人工膀胱やパウチや配管路を洗浄、消毒、脱臭する薬注開閉弁、エジェクターの運転停止をするエジェクター開閉弁を取り付け、パウチに溜まった排泄物を自動排出する。患者本人又は介護人が直接行っていた、排泄物の排出、洗浄、消毒処理作業が自動化され、操作も簡単、清潔一定の基準作業となり人為ミスがない、患者や介護者の負担のない人工肛門や人工膀胱の排泄物排出装置となった。小型化すれば携帯が出来、旅行にも参加出来る、トイレに設置すれば共同使用も可能となる。【選択図】図１
2007209715.tif 000002
【特許請求の範囲】
【発明の詳細な説明】
【技術分野】
【０００１】  従来、人工肛門や人工膀胱やこれらに取り付けたパウチに溜まった排泄物の処理作業は患者本人又は介護者が排泄物の排出、洗浄、消毒、脱臭等の処理を行っていた。
【背景技術】
【０００２】  本案は、これらを改善させるもので上記の目的を達成するために、人工肛門や人工膀胱やこれらに取り付けられたパウチに配管接続部を取り付け、排出配管に接続しこれに洗浄水を通水してパウチ内部を加圧して排出、洗浄、消毒を行う。又、人工肛門や人工膀胱やこれらに取り付けられたパウチを負圧にする方法としてポンプ  送風器  ブロアー  真空ポンプ  エジェクター等がある、配管接続部を排出配管路に接続し、この排出配管路の途中にこれらを設置して人工肛門や人工膀胱やこれらに取り付けられたパウチの内部に溜まった排泄物を自動排出する。ここではエジェクター利用した方法を説明する。【０００３】  エジェクターの動力源には、温水、水圧、空圧を用いる。【０００４】  エジェクターの排出配管路の出口に、排泄物を排出する為の排出開閉弁、人工肛門や人工膀胱やパウチや排出配管路を洗浄、消毒、脱臭する為の薬注開閉弁、エジェクターの運転停止をする為のエジェクター開閉弁を取り付ける。これらの開閉弁は電磁弁、電動弁、ピッチバルブを使用した。【０００５】  人工肛門や人工膀胱やこれらに取り付けられたパウチの内部に溜まった排泄物の有無を確認するためのセンサーを取り付け、患者本人又は介護者に警報すると共に電気信号としてシーケンサ回路に出力する。【０００６】  溜まった排泄物を自動的に排出するために水圧によるシーケンスや空圧によるシーケンスや電気シーケンス回路等を備えた人工肛門や人工膀胱やこれらに取り付けられたパウチの排泄物排出装置。【０００７】  以上を構成する事により人工肛門や人工膀胱やこれらに取り付けられたパウチの排泄物の排出が簡単に操作でき、清潔に、自動的に出来るため、患者や介護者の負担のないオストメイトの排泄物排出装置となった。小型化し携帯すれば旅行に参加出来る、トイレに設置すれば共同使用も可能となる。【０００８】  以下、動作原理を各図により説明をする。【０００９】  図１のオストメイトの排泄物排出装置の原理図において、人体１の人工肛門や人工膀胱２４に取り付けられたパウチ２の内部に排泄物３が排出されるとパウチ２内部に溜まり、取り付けられた排泄物センサー４により排泄物３が確認される。【００１０】  人工肛門や人工膀胱やパウチ２に配管接続部５を取り付け、配管接続部５は吸入配管７と接続される、吸入配管７はエジェクター６の吸入口に接続される、エジェクター６の動力源の上水８とエジェクター６の配管９の中間にエジェクター６の動力源の運転停止を制御するエジェクター開閉弁１０を取り付ける。【００１１】  上水８を暖かく加熱するための電気ヒーターや熱交換器２２を取り付ける。
上水８の温度は、電気ヒーターや熱交換器２２と温度調節器２３により適温に制御されている。【００１２】  エジェクター６の吐出口と放出管１１の中間に排出開閉弁１２を取り付ける。【００１３】  洗浄消毒脱臭溶液１３を吸入配管７に供給する薬注開閉弁１４を取り付ける。【００１４】  シーケンス回路１７が自動運転の場合、パウチ２に排泄物３が人体１より排出され、排泄物センサー４が排泄物３の確認をすると、確認信号をシーケンス回路１７に送り、この入力信号によりシーケンス回路１７で制御処理され、排出開閉弁１２を開くと同時に、エジェクター開閉弁１０を開く。【００１５】  シーケンス回路が手動運転の場合、患者又は介護者は、パウチ２に排泄物３が溜まったことを確認し、起動ＢＯＸ１５の起動１６を押すと、この起動信号によりシーケンス回路１７で制御処理され、排出開閉弁１２を開くと同時に、エジェクター開閉弁１０を開く。【００１６】  排出開閉弁１２を開くと同時に、エジェクター開閉弁１０が開くと排泄物排出行程となる、エジェクター開閉弁１０が開くとエジェクターの動力源の上水８がエジェクター６に供給されエジェクターの効果により吸入配管７が負圧となり排泄物３はエジェクター６に吸引され、吸入配管７を通りエジェクター６を通過して、エジェクター６吐出口より排泄物３が吐出通過し、更に排出開閉弁１２を通過して放出管１１より汚物流し台１８に放出１９され排泄物排出行程が終了する。【００１７】  パウチ２内部の排泄物３が全て排出されると排泄物センサー４は排泄物無しの信号をシーケンス回路１７に送る、シーケンス回路１７は、この信号で、排出開閉弁１２を閉じ洗浄工程となる、エジェクター開閉弁１０が開のままであるから上水８がエジェクター６に供給され、上水８がエジェクター６の吐出口、エジェクター６、エジェクター６の吸入口、吸入配管７、配管接続部５、パウチ２の内部に上水が次第に充満し上水で洗浄する、排泄物センサー４が上水の充満したのを検出する。【００１８】  この信号をシーケンス回路１７に送ると、排出開閉弁１２を開く、エジェクター開閉弁１０が開のままであるからエジェクターの効果により吸入配管７が負圧となりエジェクター６の吐出口、エジェクター６、エジェクター６の吸入口、吸入配管７、配管接続部５、パウチ２の内部に充満された上水は、吸入配管７を通りエジェクター６を通過し、排出開閉弁１２を通過して放出管１１より汚物流し台１８に放出１９される、パウチ２内部の洗浄済みの上水が全て排出されると排泄物センサー４は上水無し信号をシーケンス回路１７に送り、エジェクター開閉弁１０を閉じて洗浄工程が終了する。【００１９】  一定時間後又は空液センサー２０によりエジェクター６内部が空液であることを検出し、この信号をシーケンス回路１７に送ると、排出開閉弁１２を閉じ、薬注開閉弁１４を開き、洗浄消毒脱臭溶液１３を吸入配管７に供給し洗浄消毒脱臭行程となる、洗浄消毒脱臭溶液１３がエジェクター６の吐出口、エジェクター６、エジェクター６の吸入口、吸入配管７、配管接続部５、パウチ２の内部に次第に充満し、パウチ２の内部を洗浄消毒脱臭する。【００２０】  排泄物センサー４がパウチ２の内部に洗浄消毒脱臭溶液１３の充満したのを検出する、この充満信号をシーケンス回路１７に送ると、薬注開閉弁１４が閉じると同時に、排出開閉弁１２とエジェクター開閉弁１０を開き、上水８をエジェクター６に供給して、パウチ２の内部に充満した使用済みの洗浄消毒脱臭溶液をエジェクターの効果により上水８と共に排出する。パウチ２内部の使用済みの洗浄消毒脱臭溶液が全て排出されると排泄物センサー４は溶液無し信号をシーケンス回路１７に送り、エジェクター開閉弁１０を閉じて洗浄消毒脱臭行程を終了する。【００２１】  一定時間後、空液センサー２０によりエジェクター６内部が空液であることを検出しこの信号をシーケンス回路１７に送ると、排出開閉弁１２を閉じる、エジェクター開閉弁１０が開き、上水８がエジェクター６に供給され最終洗浄工程が始まる、エジェクター６の吐出口、エジェクター６、エジェクター６の吸入口、吸入配管７、配管接続部５、パウチ２の内部に上水が充満して最終洗浄する、排泄物センサー４が上水の充満したのを検出し、この充満信号をシーケンス回路１７に送ると、シーケンス回路は、排出開閉弁１２を開きエジェクターの効果により上水８と共に洗浄済み上水が排出される。【００２２】  パウチ２内部の洗浄済み上水が全て排出されると排泄物センサー４は洗浄済み上水無し信号をシーケンス回路１７に送り、エジェクター開閉弁１０を閉じ、排出開閉弁１２開きシーケンサは制御を停止して最終洗浄工程を終了し待機する。【００２３】  起動ＢＯＸ１５の停止２１を押すとこの入力信号によりシーケンス回路１７で制御処理され、安全に制御が停止する。
【発明の効果】
【００２４】  患者本人又は介護者が直接行った、人工肛門や人工膀胱に取り付けられたパウチ内部の排泄物の排出、洗浄、消毒。人工肛門や人工膀胱の洗浄、消毒処理作業が自動化される。自動化になるため一定の基準作業となり人為ミスがない、直接手に触れないので清潔となり、動作も簡単となり、患者や介護者の負担のない人工肛門や人工膀胱の排泄物排出装置となった。小型化すれば携帯が出来、旅行にも参加出来る、トイレに設置すれば共同使用も可能となる。
【図面の簡単な説明】
【００２５】
【図１】オストメイトの排泄物排出装置の原理図
【符号の説明】
【００２６】  １    人体
２    パウチ
３    排泄物
４    排泄物センサー
５    配管接続部
６    エジェクター
７    吸入配管
８    上水
９    配管
１０  エジェクター開閉弁
１１  放出管
１２  排出開閉弁
１３  洗浄消毒脱臭溶液
１４  薬注開閉弁
１５  起動ＢＯＸ
１６  起動
１７  シーケンス回路
１８  汚物流し台
１９  放出
２０  空液センサー
２１  停止
２２  電気ヒーターや熱交換器
２３  温度調節器
２４  人工肛門や人工膀胱
【図１】
2007209715.tif 000003
【手続補正書】
【提出日】平成18年4月25日(2006.4.25)
【手続補正２】
【補正対象書類名】特許請求の範囲
【補正対象項目名】全文
【補正方法】変更
【補正の内容】
【特許請求の範囲】
【請求項１】
人工肛門や人工膀胱やこれらに取り付けるパウチの内部を水圧、空圧を利用し加圧して人工肛門や人工膀胱やパウチ内の排泄物を排出、洗浄するオストメイトの排泄物排出装置。
【請求項２】
人工肛門や人工膀胱やこれらに取り付けるパウチの内部を水圧、空圧を利用し負圧にして人工肛門や人工膀胱やパウチ内の排泄物を排出、洗浄するオストメイトの排泄物排出装置。
【請求項３】
人工肛門や人工膀胱やこれらに取り付けるパウチに配管接続部を設置する、これと配管路を接続し洗浄水を通水して、パウチ内の排泄物を排出、洗浄する請求項１を特徴とするオストメイトの排泄物排出装置。
【請求項４】
人工肛門や人工膀胱やこれらに取り付けるパウチの配管接続部を設置する、これに配管路を接続し、この配管路の途中にエジェクターを取り付けて、エジェクターに発生する負圧を利用して排泄物の排出をする、エジェクターの動力源に温水、水圧、空圧を用いた請求項２を特徴とするオストメイトの排泄物排出装置。
【請求項５】
人工肛門や人工膀胱やこれらに取り付けられたパウチの排泄物を排出や洗浄する配管路の途中に排泄物の排出の為の排出開閉弁、人工肛門や人工膀胱やパウチ及び配管路を洗浄消毒脱臭する為の薬注開閉弁等を取り付けた請求項１請求項２請求項３請求項４を特徴とするオストメイトの排泄物排出装置。
【請求項６】
人工肛門や人工膀胱に取り付けられたパウチの内部に溜まった排泄物や溶液を確認するためのセンサーを取り付け電気信号として外部に出力出来るパウチ。
【請求項７】
自動的に排泄物を排出するために水圧シーケンスや空圧シーケンスや電気シーケンス回路を備えた請求項１請求項２請求項３請求項４請求項５請求項６を特徴とするオストメイトの排泄物排出装置。
【請求項８】
洗浄水温水水圧等の温度を適温に加熱又は冷却する熱交換器を取り付けた、請求項３請求項４を特徴とするオストメイトの排泄物排出装置。